Podtech/llm-jp-corpus-v4-ja_patent huggingface dataset:
(57)【要約】      （修正有）【課題】砥石の回転により、その全面に空気が吹きつけられる様にして、鉄の切断を円滑に出来るようにした切断砥石を提供する。【解決手段】円盤状の金属切断砥石の表面に深さ０、５ミリメートルから１ミリメートル程度、幅１ミリメートルから２ミリメートル程度の溝を設け、上記溝を、砥石の中心付近の側面から砥石の中を通り、切断する金属との接触面である外周面まで達する空気の管にするため、その表面を空気の漏れない紙でふさぐ。砥石を回転させることで、中心付近の側面から切断部分である外周面まで達する空気が出てくるための管を複数内蔵する砥石を、回転させることにより、管内の空気に遠心力が加わり砥石の外周面全体に点在する管の穴から空気が噴射される。鉄を切断するさい、砥石との摩擦で過熱し火花が発生している切断部位に、空気が噴射される事により、鉄と空気中の酸素との間で急激な化学反応が起こり、鉄は溶融され、回転する砥石でかき飛ばされながら切削されるので、摩擦による切削との併用で鉄の切断が効率よくできる。【選択図】図２
0003157291.tif 000002
【実用新案登録請求の範囲】
【請求項１】
回転させて金属を切断する円盤型の砥石で、砥石の中心付近の側面から切断部分である外周面まで達する、空気が出てくるための管を複数内蔵する砥石。
【考案の詳細な説明】
【考案の詳細な説明】
【産業上の利用分野】
【０００１】  本考案は、鉄を切断する砥石に関するものである。
【背景技術】
【０００２】  従来、この種の切断砥石としては、砥粒を固めた円盤型の砥石を、回転させて金属を切断するものが知られている。
【考案が解決しようとする課題】
【０００３】  従来の技術においては、砥石を回転させて、金属を摩擦して削り取って切断しているので、砥粒の種類で若干の違いはあるが、砥石の摩擦だけでの切削効率に、限界があるという問題点を有していた。
【０００４】  また、厚い鉄を切断する場合には、砥石の回転による摩擦で鉄が過熱すると同時に砥石も過熱してしまい、双方が過熱すると切削能力が極端に落ちるので、切断するのに多くの時間を必要とするという問題点を有していた。
【０００５】  本考案は、従来の技術の有するこのような問題点に鑑みてなされたものであり、その目的とするところは、鉄の切断をより円滑に作業できる切断砥石を提供しようとするものである。
【課題を解決するための手段】
【０００６】  上記の目的を達成するために、本考案におけるエアー切断砥石は、砥石の中心付近の側面から切断部分である外周面まで達する、空気が出てくるための管を複数内蔵することで、砥石の回転で遠心力を与えられた管内の空気が、切断面全体に点在する複数の管の穴から、砥石との摩擦で過熱し火花が出ている状態の鉄に噴射され、鉄と空気中の酸素との間で急激な化学反応を起き、鉄を溶融して切断するようにした。
【０００７】  また、管の、空気は、砥石の外周面に達している管の穴から、砥石の回転による遠心力で放出されると同時に、砥石をモーターの回転軸に固定する金具を避けた砥石の中心付近の側面の管の穴から、供給される。
【０００８】  また、管は、モーターの回転と逆の方向である、後ろ向きに湾曲させることにより、、砥石の回転による遠心力を管内の空気に効率よく伝達でき、空気を圧送することができる。
【０００９】  また、管の数は、砥石の強度に支障の無い範囲内で、多いほどよい。
【００１０】  また、砥石を取り付ける金具を、圧送型の送風機の構造にして砥石の管に接続することで、より効果的に空気を、管から送り出すことができる。
【００１１】  また、砥石を取り付ける金具と、砥石の中心付近の側面の管の穴を、ロート形状の構造物で覆い、そこに圧搾空気を送り込めば、砥石の外周面の管の穴から圧搾空気が噴射されるので、切断能率が向上する。
【作用】
【００１２】  砥石が回転することにより、砥石の管内の空気に、遠心力が与えられて、砥石の外周の切断面の空気穴から噴射される。
【００１３】  そして、砥石との摩擦で過熱し火花が出ている状態の鉄に、空気が噴射される。
【００１４】  そして、砥石との摩擦で過熱し火花が出ている状態の鉄と、噴射された空気中の酸素との間で急激な化学反応が起こり、鉄は溶融され、溶融された鉄を回転する砥石でかき飛ばしながら切断する。
【実施例】
【００１５】  実施例について図面を参照して説明する。
図１において、市販されている金属切断砥石を、手作業で図のように、深さ０、５ミリメートルから１ミリメートル程度、幅１ミリメートルから２ミリメートル程度削り取り、溝を設けた。生産する場合は、型成型する。【００１６】  図２において、削り取った溝を、砥石の中心付近の側面から砥石の中を通り、切断する金属との接触面である外周面まで達する空気の管にするため、斜線の部分を空気の漏れない紙でふさいだ。【００１７】  図３において、砥石の要部を段面した略図である。
【考案の効果】
【００１８】  本考案は、上述のとおり構成されているので、次に記載する効果を奏ずる。
【００１９】  請求項１の砥石の中心付近の側面から切断部分である外周面まで達する、空気が出てくるための管を複数内蔵する砥石を、回転させることにより、管内の空気に遠心力が加わり砥石の外周面全体に点在する管の穴から空気が噴射される。
【００２０】  鉄を切断するさい、砥石との摩擦で過熱し火花が発生している切断部位に、空気が噴射される事により、鉄と空気中の酸素との間で急激な化学反応が起こり、鉄は溶融され、回転する砥石でかき飛ばされながら切削されるので、摩擦による切削との併用で鉄の切断が効率よくできる。
【００２１】  また、厚い鉄を切断する場合、管の中を通過する空気が、砥石の冷却にも役立つので、摩擦熱による支障を軽減することができる。
【００２２】  また、管の中の空気は、外周面から放出されると同時に、砥石の中心付近の側面の管の穴から供給される。
【図面の簡単な説明】
【図１】  市販されているの金属切断砥石を削り取った管用の溝の略図である。
【図２】  削り取った管用の溝を、管にするため紙が張られた状態を示す略図である。
【図３】  要部の略断面図である。
【図１】
0003157291.tif 000003
【図２】
0003157291.tif 000004
【図３】
0003157291.tif 000005
(57)【要約】      （修正有）【課題】上下水道用機器の維持管理を容易にし、現場機器と管理データーの不整合が解消される上下水道機器銘板を提供する。【解決手段】ＩＣタグ内のＩＣチップに上下水道用機器の維持管理を目的として工事名称・機器名称・設置年月日・機器番号・設置会社を記録させ、修繕履歴、点検履歴といった管理データーを書き換えできるようにしたＩＣタグを用いる。ＩＣタグを機器銘板に内蔵する方法は、機器銘板の一部に穴を開けてＩＣタグを入れ、接着剤で固定をする。【選択図】図１
0003157290.tif 000002
【実用新案登録請求の範囲】
【請求項１】
上下水道用機器の維持管理を目的としたＩＣタグを内蔵した機器銘板
【請求項２】
〔請求項１〕を用いて上下水道用機器の維持管理維持管理を行う手法
【請求項３】
〔請求項１〕を取り付けた上下水道用機器
【考案の詳細な説明】
【考案の詳細な説明】
【技術分野】
【０００１】この考案はＩＣタグを内蔵した機器銘板を上下水道用機器に取り付けることで上下水道用機器の維持管理を容易にするものである。
【背景技術】
【０００２】従来上下水道施設に設置された機器の維持管理は、機器名称や設置年月日を板状の金属に打刻することにより示し、その取得金額や修繕履歴は別途データー入力により管理・運用を行っている。
【考案が解決しようとする課題】
【０００３】現状は設置された機器を現場で修理・取替えを行っても機器管理データーは修正されず、設置機器と整合が取れずに維持管理上の不具合が生じている。
本考案はこの設置機器と管理データーとの整合を即座に取ることを目的とするものである。
【課題を解決するための手段】
【０００４】機器銘板に埋め込まれたＩＣタグに、設置する機器の機器名称・設置年月日・機器番号・取得金額・修繕履歴等の管理データーを入力し管理する。また対象機器を修理した際はこの銘板に取り付けたＩＣタグ内のデーターを現場にて直接、データー入力器具を用いて書き換える事で常に最新の情報を管理することが可能となる。さらにこの最新データーは一括管理台帳にコピーすることにより一元管理を行う。
【考案を実施するための形態】
【０００５】本案は以上のような機器管理データーを入力したＩＣタグと板状の銘板からなり、設置される機器に固定し、取り付ける。
【考案の効果】
【０００６】本考案品により、現場に設置された機器の維持管理が容易になり、現場機器と管理データーの不整合が解消される。
【図面の簡単な説明】
【図１】本考案品の使用図
【符号の説明】１．ＩＣタグ
２．機器銘板
３．ＩＣタグ内データー書き換え用器具
４．上下水道用機械
５．維持管理用一括データー
【図１】
0003157290.tif 000003
【手続補正書】
【提出日】平成21年5月20日(2009.5.20)
【手続補正１】
【補正対象書類名】実用新案登録請求の範囲
【補正対象項目名】全文
【補正方法】変更
【補正の内容】
【実用新案登録請求の範囲】
【請求項１】
上下水道用機器の維持管理を目的としてＩＣタグ内のＩＣチップに工事名称・機器名称・設置年月日・機器番号・設置会社などを記録させ、修繕履歴など管理データーを書き換えできるようにしたＩＣタグを用いる。ＩＣタグを機器銘板に内蔵する方法は、機器銘板の一部に穴を開けてＩＣタグを入れ、接着剤などで固定をする。
【手続補正書】
【提出日】平成21年9月2日(2009.9.2)
【手続補正１】
【補正対象書類名】実用新案登録請求の範囲
【補正対象項目名】全文
【補正方法】変更
【補正の内容】
【実用新案登録請求の範囲】
【請求項１】
上下水道用機器銘板において、
（１）ＩＣタグ内のＩＣチップに上下水道用機器の維持管理を目的として工事名称・機器名称・設置年月日・機器番号・設置会社などを記録させ、修繕履歴など管理データーを書き換えできるようにしたＩＣタグを用いる。
（２）ＩＣタグを機器銘板に内蔵する方法は、機器銘板の一部に穴を開けてＩＣタグを入れ、接着剤などで固定をする。
以上からなるＩＣタグを内蔵した上下水道機器銘板。
【手続補正書】
【提出日】平成21年10月29日(2009.10.29)
【手続補正１】
【補正対象書類名】実用新案登録請求の範囲
【補正対象項目名】全文
【補正方法】変更
【補正の内容】
【実用新案登録請求の範囲】
【請求項１】
上下水道用機器銘板において、
（１）ＩＣタグ内のＩＣチップに上下水道用機器の維持管理を目的として工事名称・機器名称・設置年月日・機器番号・設置会社を記録させ、修繕履歴、点検履歴といった管理データーを書き換えできるようにしたＩＣタグを用いる、
（２）ＩＣタグを機器銘板に内蔵する方法は、機器銘板の一部に穴を開けてＩＣタグを入れ、接着剤で固定をする、
以上からなるＩＣタグを内蔵した上下水道機器銘板。
(57)【要約】      （修正有）【課題】システムキッチンの収納庫内の異臭の滞留を防止できるシステムキッチン装置を提供する。【解決手段】システムキッチンは上部収納ユニット７及びシンク付下部収納ユニット９、調理台付下部収納ユニット１０、レンジ付下部収納ユニット１１により組み合わされる。レンジ付下部収納ユニット１１の内部にファン装置２を設置し、ファン装置２に接続した排気管１を、各下部収納ユニットを貫通して設置し、各下部収納ユニット１１内に設置された排気管１の吸気口３から、異臭のついた空気を前記ファン装置２により吸い込み、レンジ付下部収納ユニット上部の天板を貫通し設置された、排気管１の排気口４から上部へ吹き上げ、レンジファンにより屋外に排出する。【選択図】図１
0003157289.tif 000002
【実用新案登録請求の範囲】
【請求項１】
排気管１に接続されたファン装置２により、吸気口３を通して、収納庫１１に溜まった異臭のついた空気を吸い込み、排気口４で収納庫８の上部へ吹き上げ、レンジファン５により、屋外に排出するシステムキッチン装置。
【考案の詳細な説明】
【請求項の数】
１
【考案の詳細な説明】
【考案が解決しようとする課題】
【０００１】  システムキッチン収納庫には、油、廃油、野菜類、乾物類、調味料類等の各種食材を収納するため、複合した異臭が発生し不快感があり、脱臭剤を置く以外にこれを根本的に排出する方法がなかった。
【課題を解決するための手段】
【０００２】  上記問題を解決するため、システムキッチンの収納庫８に、ファン装置２を接続した排気管１を、各隔壁９を貫通して設置し、排気管１の吸気口３から、異臭のついた空気をファン装置２により吸い込み、排気口４から収納庫８の上部へ吹き上げ、レンジファン５により屋外に排出させれば、収納庫８の内部は負圧となり、システムキッチンの扉の隙間から外部の空気が吸い込まれ、収納庫内部１１の空気が入れ替わるようにし、排気ファン２の電源のオン、オフはレンジファンスイッチ６と共用することで、レンジファン５の使用中は常時異臭を屋外に排出出来るようにした。
また、グリル１２の排気をグリル排気管１３でファン装置２に組み込めば、排気装置が一元化できるようになる。
【考案の効果】
【００３】  システムキッチン収納庫の空気を入れ替えることにより、システムキッチン収納庫内の異臭の滞留を防止でき快適である。
【図面の簡単な説明】
【図１】システムキッチン正面図
【図２】システムキッチン下部平面図
【符号の説明】    １    排気管
２    ファン装置
３    吸気口
４    排気口
５    レンジファン
６    レンジファンスイッチ
７    上部収納庫
８    下部収納庫
９    収納庫隔壁
１０  扉の隙間
１１  収納庫内部
１２  グリル
１３  グリル排気管
【図１】
0003157289.tif 000003
【図２】
0003157289.tif 000004
【手続補正書】
【提出日】平成21年6月9日(2009.6.9)
【手続補正１】
【補正対象書類名】実用新案登録請求の範囲
【補正対象項目名】全文
【補正方法】変更
【補正の内容】
【実用新案登録請求の範囲】
【請求項１】
システムキッチンは上部収納庫７と下部収納庫８に分かれ、さらに、前記の上部収納庫７及び下部収納庫８はそれぞれ各ユニット毎に隔壁９によって分割されており、主に食材類を収納する収納庫内部１１に、ファン装置２を接続した排気管１を、それぞれユニット化され接続された、システムキッチンの下部収納庫８の各隔壁９を貫通して設置し、前記排気管１の吸気口３から、異臭のついた空気を前記ファン装置２により吸い込み、前記排気管１の排気口４から下部収納庫８の上部へ吹き上げ、レンジファンにより屋外に排出するシステムキッチン装置。
【手続補正書】
【提出日】平成21年10月9日(2009.10.9)
【手続補正１】
【補正対象書類名】実用新案登録請求の範囲
【補正対象項目名】全文
【補正方法】変更
【補正の内容】
【実用新案登録請求の範囲】
【請求項１】
システムキッチンは上部収納ユニット７及び天板１７により固定されそれぞれ独立したシンク付下部収納ユニット９、調理台付下部収納ユニット１０、レンジ付下部収納ユニット１１により組み合わされたものであり、前記各下部収納ユニットは各下部収納ユニット縦枠１３により分断されているが、レンジ付下部収納ユニット内部２２にファン装置２を設置し、ファン装置２に接続した排気管１を、レンジ付下部収納ユニット内部２２、調理台付下部収納ユニット内部２１、シンク付下部収納ユニット内部２０に前記各下部収納ユニット縦枠１３を貫通して設置し、前記各下部収納ユニットに設置された排気管１の吸気口３から、異臭のついた空気を前記ファン装置２により吸い込み、レンジ付下部収納ユニット上部の天板を貫通し設置された、排気管１の排気口４から上部へ吹き上げ、レンジファンにより屋外に排出するシステムキッチン装置。
【手続補正２】
【補正対象書類名】明細書
【補正対象項目名】０００２
【補正方法】変更
【補正の内容】
【０００２】  上記問題を解決するため、システムキッチンのレンジ付下部収納ユニット内部２２にファン装置２を設置し、ファン装置２に接続した排気管１を、レンジ付下部収納ユニット内部２２、調理台付下部収納ユニット内部２１、シンク付下部収納ユニット内部２０に各下部収納ユニット縦枠１３を貫通して設置し、前記各下部収納ユニットに設置された排気管１の吸気口３から、異臭のついた空気をファン装置２により吸い込み、レンジ付下部収納ユニット内部から天板を貫通し設置された排気管１の排気口４から上部へ吹き上げ、レンジファン５により屋外に排出させれば、前記各下部収納ユニットの内部は負圧となり、前記各下部収納ユニットの扉の隙間１２から外部の空気が吸い込まれ、前記各下部収納ユニット内部の空気が入れ替わるようにし、排気ファン２の電源のオン、オフはレンジファンスイッチ６と共用することで、レンジファン５の使用中は常時異臭を屋外に排出できる。
またグリル１４の排気をグリル排気管１５でファン装置２に組み込めば、排気装置が一元化できる。
【手続補正３】
【補正対象書類名】明細書
【補正対象項目名】００３
【補正方法】変更
【補正の内容】
【００３】
システムキッチン収納庫の空気を入れ替えることにより、システムキッチン収納庫内の異臭の滞留を防止でき快適である。
【図面の簡単な説明】
【図１】
システムキッチンの正面図
【図２】
各下部収納ユニットの平面図
【符号の説明】
１  排気管
２  ファン装置
３  吸気口
４  排気口
５  レンジファン
６  レンジファンスイッチ
７  上部収納庫
８  レンジファン格納庫
９  シンク付下部収納ユニット
１０  調理台付下部収納ユニット
１１  レンジ付下部収納ユニット
１３  各下部収納ユニットの扉の隙間
１４  各下部収納ユニット縦枠
１５  グリル
１６  グリル排気管
１７  シンク
１８  天板
１９  調理台
２０  レンジ
２１  シンク付下部収納ユニット内部
２２  調理台付下部収納ユニット内部
２３  レンジ付下部収納ユニット内部
【手続補正５】
【補正対象書類名】図面
【補正対象項目名】全図
【補正方法】変更
【補正の内容】
【図１】
0003157289.tif 000005
【図２】
0003157289.tif 000006
(57)【要約】      （修正有）【課題】グループの気持ちを、見た目で分かりやすいデザインに施し、記念、財産、お守り、コレクション、装飾の価値をグループで共有出来るようにする記念品を提供する。【解決手段】家族や恋人などグループ共通の感情を表現したハート１などの形状と、そのグループに所属する各個人の誕生石２、３、４あるいは、パワーストーン、宝玉、宝玉の原石、またはそれらの模造品を組み合わせることにより装飾品、記念品、お守り、または置物を構成する。【選択図】図１
0003157285.tif 000002
【実用新案登録請求の範囲】
【請求項１】
家族や恋人などグループの気持ちを、ハートなど意味のあるデザインで表現し、その表現したデザインを施した品（１）に、グループに所属する個人の誕生月アイテムまたは誕生月モチーフ（２）、（３）、（４）を組み込む。
【考案の詳細な説明】
【技術分野】
【０００１】本考案は、家族や恋人などグループに所属する人達で価値を共有する為の考案に関する。
【背景技術】
【０００２】個人の誕生月アイテムを使用した記念品、装飾品、お守りなど。【０００３】気持ちを表すデザインが施されていない、夫婦の誕生石を埋め込んだ指輪。
【考案の開示】
【考案が解決しようとする課題】
【０００４】グループの気持ちを、見た目で分かりやすいデザインに施し記念、財産、お守り、コレクション、装飾の価値をグループで共有出来るようにする。
【課題を解決するための手段】
【０００５】家族や恋人などグループの気持ちを、ハートなど意味のあるデザインで表現し、その表現したデザインを施した品（１）に、グループに所属する個人の誕生月アイテムまたは誕生月モチーフ（２）、（３）、（４）を組み込む。
【考案の効果】
【０００６】家族や恋人などグループへの思い入れが高まる。
【考案を実施するための最良の形態】
【０００７】記念品
【実施例】
【０００８】愛の気持ちを表現したハートのデザインを施したリングに父、母、子供それぞれの誕生石をセットする。
【産業上の利用可能性】
【０００９】記念品、ギフト
【図面の簡単な説明】
【００１０】
【図１】組み合わせたデザインを示した立体図である。
【符号の説明】
【００１１】（１）家族や恋人などグループの気持ちを表現したデザインを施した品（図１ではハート）
（２）グループに所属する個人１の誕生月アイテム
（３）グループに所属する個人２の誕生月アイテム
（４）グループに所属する個人３の誕生月アイテム
（５）品を構成する部分（図１では指輪の腕）
【図１】
0003157285.tif 000003
【手続補正書】
【提出日】平成21年2月5日(2009.2.5)
【手続補正１】
【補正対象書類名】実用新案登録請求の範囲
【補正対象項目名】全文
【補正方法】変更
【補正の内容】
【実用新案登録請求の範囲】
【請求項１】
家族や恋人などグループの愛情をハートの形で表現した物品に、そのグループに所属する各個人の誕生石などを組み合わせた装飾品や実用品、または記念品。
【手続補正書】
【提出日】平成21年3月4日(2009.3.4)
【手続補正１】
【補正対象書類名】実用新案登録請求の範囲
【補正対象項目名】全文
【補正方法】変更
【補正の内容】
【実用新案登録請求の範囲】
【請求項１】
家族や恋人などグループの愛情をハートの形で表現した物品に、そのグループに所属する各個人の誕生石やパワーストーンを組み合わせた装飾品や置物、お守り、または記念品。
【手続補正書】
【提出日】平成21年4月16日(2009.4.16)
【手続補正１】
【補正対象書類名】実用新案登録請求の範囲
【補正対象項目名】全文
【補正方法】変更
【補正の内容】
【実用新案登録請求の範囲】
【請求項１】
家族や恋人などグループの愛情をハートの形で表現した物品に、そのグループに所属する各個人の誕生石やパワーストーン、宝玉及びその模造品、または宝玉の原石を組み合わせた装飾品や置物、お守り、または記念品。他にも表現する物品の形は、太陽、月、星、星座、翼、クロス、リボン、雪の結晶、生物、生物の一部、架空の生物、植物、楽器、家具、道具、玩具、本、武器、乗り物、貨幣、紙幣、飲食物、衣類、履物、建造物、自然の造形、ロゴ、マーク、キャラクターなどグループに共通する形で表現する事が出来る。
【手続補正書】
【提出日】平成21年9月3日(2009.9.3)
【手続補正１】
【補正対象書類名】実用新案登録請求の範囲
【補正対象項目名】全文
【補正方法】変更
【補正の内容】
【実用新案登録請求の範囲】
【請求項１】
家族や恋人などグループ共通の感情を表現したハートの形状（ハートの形状がグループの感情を表現するのに相応しくない場合は、太陽、または月、星、星座、翼、クロス、リボン、雪の結晶、生物、生物の一部、植物、楽器、家具、道具、玩具、武器、乗り物、貨幣、紙幣、飲食物、衣類、履物、建造物、自然の造形、ロゴ、マーク、キャラクターなど、グループが表現したい形状に変更または追加する）と、そのグループに所属する各個人の誕生石やパワーストーン、宝玉及びその模造品、または宝玉の原石を組み合わせた装飾品や記念品、またはお守りや置物。
【手続補正書】
【提出日】平成21年12月2日(2009.12.2)
【手続補正１】
【補正対象書類名】実用新案登録請求の範囲
【補正対象項目名】全文
【補正方法】変更
【補正の内容】
【実用新案登録請求の範囲】
【請求項１】
家族や恋人などグループ共通の感情を表現したハートなどの形状と、そのグループに所属する各個人の誕生石、パワーストーン、宝玉、宝玉の原石、またはそれらの模造品を組み合わせた装飾品、記念品、お守り、または置物。
(57)【要約】      （修正有）【課題】コスト高を招来することなく、視覚障害者が時刻を知ることのできるようにした視覚障害者用時計を提供する。【解決手段】時針が取り付けられる時針軸と、分針が取付けられる分針軸とが時計ムーブメントに対して同軸に設けられた時計において、時針軸１３及び分針軸１４には大径円盤１７及び小径円盤１８が時計ムーブメント１２に対して二重構造となるように取付けられ、上記大径円盤１７の小径円盤１８の外側に位置する環状部分１７Ａには時針又は分針の位置を示す突起１９が設けられ、上記小径円盤１８には分針又は時針の位置の位置を示す突起２０が設けられている。【選択図】図２
0003157236.tif 000002
【実用新案登録請求の範囲】
【請求項１】
時針が取り付けられる時針軸と、分針が取付けられる分針軸とが時計ムーブメントに対して同軸に設けられた時計において、
時針軸（１３）及び分針軸（１４）には大径円盤（１７）及び小径円盤（１８）が時計ムーブメント（１２）に対して二重構造となるように取付けられ、上記大径円盤（１７）の小径円盤（１８）の外側に位置する環状部分（１７Ａ）には時針又は分針の位置を示す突起（１９）が設けられ、上記小径円盤（１８）には分針又は時針の位置の位置を示す突起（２０）が設けられていることを特徴とする視覚障害者用時計。
【請求項２】
時計ケース（１１）の外周部分（１１Ａ）には少なくとも１２時、３時、６時、９時の位置に突起（２１、２２、２３、２４）が設けられている請求項１記載の視覚障害者用時計。
【考案の詳細な説明】
【技術分野】
【０００１】
本考案は視覚障害者用時計に関し、特にコスト高を招来することなく、視覚障害者が時刻を知ることのできるようにした時計に関する。
【背景技術】
【０００２】
例えば、視覚障害者が時刻を知りたい場合、健常者の補助を必要とし、近くに健常者がいないときには時刻を知ることができない。
【０００３】
これに対し、視覚障害者が時計にタッチしたときに時刻を音声によって知らせるようにした時計があるが、騒音が酷い場所では使用しにくい。
【０００４】
また、非音響コード化された振動によって時刻を知らせるようにした時計が提案されているが（特許文献１）、コードを覚えるのが煩わしい。
【０００５】
また、文字盤のケース外周部分の時刻に対応した角度位置に突起を設け、視覚障害者が突起をなぞったときに振動によって時針及び分針の位置にある突起まで指を誘導して視覚障害者に時刻を知らせるようにした時計が提案されている（特許文献２）。
【先行技術文献】
【特許文献】
【０００６】
【特許文献１】米国特許第５，５５９，７６１号明細書
【特許文献２】特開平１１−１４７６４号公報
【考案の開示】
【考案が解決しようとする課題】
【０００７】
しかし、特許文献２記載の時計では突起を振動させる起振部や時針及び分針の位置を検知するセンサーを必要とし、構造が複雑となってコスト高となる。
【０００８】
本考案はかかる問題点に鑑み、コスト高を招来することなく、視覚障害者が時刻を知ることのできるようにした視覚障害者用時計を提供することを課題とする。
【課題を解決するための手段】
【０００９】
そこで、本考案に係る視覚障害者用時計は、時針が取り付けられる時針軸と、分針が取付けられる分針軸とが時計ムーブメントに対して同軸に設けられた時計において、時針軸及び分針軸には大径円盤及び小径円盤が時計ムーブメントに対して二重構造となるように取付けられ、上記大径円盤の小径円盤の外側に位置する環状部分には時針又は分針の位置を示す突起が設けられ、上記小径円盤には分針又は時針の位置を示す突起が設けられていることを特徴とする。
【００１０】
本考案の特徴は大径円盤と小径円盤を二重構造にして時針軸及び分針軸に取付け、両円盤に突起を設けて接触可能な時針及び分針として機能させるようにした点にある。
【００１１】
これにより、視覚障害者が時計の突起を触ることによって時分を知ることができる。しかも、時針軸及び分針軸に大小の円盤を取付けて時針及び分針として機能させるようにしたので、構造が簡単であり、しかもセンサーや起振部を必要とせず、特許文献２記載のようにコスト高を招来することもない。
【００１２】
時針突起と分針突起を触ることによって時分を知ることができるが、時計ケースの外周部分に例えば１２時、３時、６時、９時の位置を示す突起を設けるようにすると、時分を確実に知ることができる。
【００１３】
本発明の時計は視覚障害者が指で円盤の突起を触ることができるようにガラス蓋がないので、粉塵が時計ムーブメント内に侵入することが懸念されるが、大径円盤によって時計ムーブメントが遮蔽されるので、粉塵侵入のおそれを少なくできる。
【図面の簡単な説明】
【００１４】
【図１】本考案に係る視覚障害者用時計の好ましい実施形態を示す概略正面図である。
【図２】上記実施形成における大径円盤及び小径円盤の時針軸及び分針軸への取付け構造を示す図である。
【考案を実施するための形態】
【００１５】
以下、本考案を図面に示す具体例に基づいて詳細に説明する。図１及び図２は本考案に係る視覚障害者用時計の好ましい実施形態を示す。図において、視覚障害者用腕時計１０では時計ケース１１内に時計ムーブメント１２が内蔵され、時計ムーブメント１２はゼンマイ又は電子振動子を内蔵した公知の構造に構成され、中央には時針が取付けられる時針軸１３と分針が取付けられる分針軸１４とが同心に構成されている。
【００１６】
また、時計ケース１１にはリューズ１６が取付けられ、リューズ１６は時計ムーブメント１２内の機構と接続され、時刻を合わせあるいは時計ムーブメント１２内のゼンマイを巻けるようになっている。
【００１７】
さらに、時計ムーブメント１２の時針軸１３には大径円盤１７が取付けられ、分針軸１４には小径円盤１８が大径円盤１７と二重構造をなすように取付けられ、大径円盤１７は中央部分が凹状に形成されて小径円盤１８が少しの隙間をあけて収容されている。大径円盤１７の外周環状部分１７Ａには時針の位置に時針突起１９が取付けられ、小径円盤１８の分針の位置には分針突起２０が取付けられ、各々時と分を表すようになっている。
【００１８】
時計ケース１１の外周部分１１Ａには１２時、３時、６時、９時の角度位置に突起２１、２２、２３、２４が取付けられ、各時刻の角度位置を示すようになっている。
【００１９】
視覚障害者が本例の腕時計１０の円盤１７、１８の時針突起１９及び分針突起２０を指で触り、その近くの時計ケース１１側の突起２１〜２４を触ると、時針突起１９及び分針突起２０の角度位置から時及び分を知ることができる。
【００２０】
また、本例の腕時計１０では既存の時計ムーブメント１２の時針軸１３と分針軸１４に大小の円盤１７、１８を取付けて時針及び分針として機能させるようにしたので、構造が簡単であり、しかもセンサーや起振部などの部品を必要とせず、コスト高を招来することもない。
【符号の説明】
【００２１】
１０    視覚障害者用腕時計
１１    時計ケース
１２    時計ムーブメント
１３    時針軸
１４    分針軸
１７    大径円盤
１７Ａ    環状部分
１８    小径円盤
１９    時針突起
２０    分針突起
２１，２２，２３，２４      突起
【図１】
0003157236.tif 000003
【図２】
0003157236.tif 000004
(57)【要約】      （修正有）【課題】神社仏閣などで頒布された御札や護符を丁重かつ簡易に、祈願・礼拝の対象としてふさわしい形の御札立を提供する。【解決手段】上部を入山形にした板の前面に札置棚２を設ける。札置棚２に御札（おふだ）や護符を立て懸けたときに、できる空白部分に「家内安全」、「商売繁盛」などの大願（たいがん）を書き入れることにより、信仰心を満たすことができる。【選択図】図１
0003157203.tif 000002
【実用新案登録請求の範囲】
【請求項１】
上部を入山形にした板の前面に札置棚を設けたことを特徴とする御札立。
【考案の詳細な説明】
【考案の詳細な説明】
【技術分野】
【０００１】  本願考案は、神社などで頒布される御札（おふだ）や仏閣などで頒布される護符を立てるための御札（おふだ）立に関するものである。
【背景技術】
【０００２】  従来、御札（おふだ）や護符は、神棚に納めたり、住宅内の柱などに貼られていた。しかし、神棚は、「なげし」の上など住宅内の高い場所に設けられているため、高齢者などが御札（おふだ）を納めるには身体的な問題もある。また、ご利益（りやく）ある御札（おふだ）や護符を画鋲や粘着テープで柱に貼付するのも信仰面からの抵抗もある。
【考案の開示】
【考案が解決しようとする課題】
【０００３】  本願考案は、ご利益（りやく）ある神社仏閣などで頒布された御札（おふだ）や護符を丁重かつ簡易に、祈願・礼拝の対象としてもふさわしい形の御札（おふだ）立を提供することにある。
【課題を解決するための手段】
【０００４】  本願考案は上記課題を解決するため、上部を入山形にした板の前面に札置棚を設けた。
【考案の効果】
【０００５】  本願考案は上記課題を解決できるほか、上部を入山形にした板の札置棚に御札（おふだ）や護符を立て懸けたときに、できる空白部分に「家内安全」、「商売繁盛」などの大願（たいがん）を書き入れることにより、信仰心を満たすことができる。
【実施例】
【０００６】  以下、本願考案の実施例を図面を参照しながら説明する。【０００７】  図１は、本願考案の投影図であり、Ａは正面図、Ｂは右側面図である。【０００８】  本実施例では、上部を入山形にした板の上下ほぼ中央やや上よりの正面に札置棚を設けてある。この札置棚に御札（おふだ）や護符を立て懸ける。【０００９】  先に「考案の効果」でも説明したが、本実施例では、札置棚から下に空白部分ができる。図面には、表していないが、この札置棚から下の空白部分に「家内安全」、「商売繁盛」などの大願を書き入れることができる。札置棚を正面の下部に設けた場合は、上部に空白部分ができ、ここに大願を書き入れることになる。【００１０】  「家内安全」、「商売繁盛」などの大願は、墨書してもよいし、大量生産の場合はシルクスクリーンなどで印刷することでコストを安価にすることができる。【００１１】  上部の「入山形」は、江戸時代の相撲の板番付などに見られるものであり、興行の「大入（おおいり）」を願ってのものであり、それに倣って寿司店など和風飲食店なども縁起物の意匠として、「品書」などに用いている。
こうした縁起物の意匠であることから、ご利益ある御札（おふだ）や護符を立てるものとしてもふさわしいものとなる。
また設置場所についても神棚のように、住宅内の「なげし」の上などに限定されることなく、使用者それぞれが住宅に合わせて、置きやすい場所におくことができる。
【図面の簡単な説明】
【図１】  図１は、本願発明の一実施例の投影図であり、Ａは正面図、Ｂは右側面図である。
【符号の説明】  １    上部を「入山形」
２    札置棚
【図１】
0003157203.tif 000003
(57)【要約】      （修正有）【課題】袋状の防水シートに、バッグのもち手を取り出す穴を設けることで、袋状の防水シートにバッグを挿入し、袋状の防水シートの穴からもち手を取り出して使用することで雨水の浸入を少なくすることができるバッグ用雨具を提供する。【解決手段】袋状防水シート１に２箇所、肩かけバッグのもち手用の穴２を設け、そこからもち手を取り出し、背負うことで雨具としての使用を可能とする。また同様に、穴を１箇所開け、片手用のバッグに使用する。もち手用の穴はもち手を取り出した後、もち手用の穴を覆うことができる防水シートを取付けておき、もち手用の穴を覆うことができるようにする構造とすれば、更に雨水の浸透を防ぐことができ、雨具としての効果を高めることができる。【選択図】図１
0003157205.tif 000002
【実用新案登録請求の範囲】
【請求項１】
水を通さない防水のシートを袋の形にし袋に穴を開け、袋の中にバッグを入れ、そのバッグのもち手部分を袋に開けた穴に通し、もち手のみを雨具外に取り出し、雨天時に使用するバッグ用の雨具。
【考案の詳細な説明】
【技術分野】
【０００１】  本案は雨具においてバッグ用の雨具に関する。
【背景技術】
【０００２】  現在雨天時に使用するバッグ用の雨具は、防水シートを袋状にした袋の口周囲部分に紐やゴム等で一周する形で取付けた形状をしている。雨天時はバッグ本体部分を前記袋状の防水シートで覆い、袋の口部分に取付けられた紐をしぼるか、もしくは口部分に取付けたゴムを広げバッグ本体に覆いかぶせ、ゴムが元に戻ることにより、袋状の防水シートがバッグの本体部分を覆うことで雨具となり、袋状の防水シートの口からもち手部分が出ており、それを背中で背負うバッグであれば背負い、また手持ちバッグであれば手持ちすることで雨具として使用していた。
【考案の概要】
【考案が解決しようとする課題】
【０００３】  袋状の防水シートの口に紐やゴムを取付けた形状の雨具では、もち手部分を袋状の防水シートの口部分から取り出しているため口部分のバッグ本体は防水シートからは露出した状態であるため、雨天時、雨具と使用しても、袋状の防水シートの口部分から多くの雨水が浸透しバッグ本体は浸透した雨水で濡れてしまっていた。
【課題を解決するための手段】
【０００４】  本案によるバッグ用雨具は、袋状の防水シートの口部分ではなく、袋状の防水シートに最適数の穴を開け、バッグのもち手部分のみを穴から取り出し、雨具として使用することを特徴とする。
【考案の効果】
【０００５】  この構造により、袋状の口部分からもち手を取り出していた雨具にくらべ、バッグの本体部分を多く覆うことが可能となり、雨水の浸入の量を最小限にすることが可能である。これにより、バッグ本体は水に濡れることなく、またバッグの中に入っている備品等の水濡れを防止することが可能である。
【考案を実施するための形態】
【０００６】  本案を実施する形態としては、防水シートとしては、水を通さない素材であればよい。市販の防水布やナイロン製の布等を利用したものは、袋状の部分にファスナー等を取付けることにより、本案バッグ用雨具を装着したままでもバッグ本体の中身を取り出せる構造にするのもよい。ただし、ファスナーを取付けた場合は雨水の浸入を防ぐため、ファスナーの上に防水シートで覆う必要がある。
【０００７】  またもち手を取り出す穴の数は、肩にかけ背中に背負い使用するバッグの場合は、両肩にかけて使用するため、もち手用の最適数が２箇所であり、片手で持ち使用するバッグはもち手を取り出す穴を１箇所でもよい。
【０００８】  また、市販のビニール袋等にバッグのもち手を取り出すための最適数の穴を開け、簡易的に使い捨ての雨具としても使用できる。
【０００９】  もち手用の穴はもち手を取り出した後、もち手用の穴を覆うことができる防水シートを取付けておき、もち手用の穴を覆うことができるようにする構造とすれば、更に雨水の浸透性を防ぐことができ、雨具としての効果を高めることができる。
【００１０】  袋状の防水シートの口部分は口周辺に紐を配し、バッグを挿入して、もち手用の穴からもち手を取り出した後、引き絞るなどして袋の口を閉じることができる構造にすることで更に雨水の浸入を防ぐ形にしてもよい。
【実施例】
【００１１】  本案構造を、市販のビニール袋に使用した。ビニール袋に２箇所、肩かけバッグのもち手用の穴を設け、そこからもち手を取り出し、背負うことで雨具としての使用が可能であった。また同様に、穴を１箇所開け、片手用のバッグにも使用が可能であった。
【産業上の利用可能性】
【００１１】  産業上の利用としては、実施例のようにバッグ用の雨具として利用できる。
【図面の簡単な説明】
【００１２】
【図１】本案における袋状の防水シート側面に２箇所穴を開けた場合の側面から見た平面図である。
【図２】本案における袋状の防水シートの口と反対側の袋の閉面に取って用の穴を開けた場合の側面から見た平面図である。
【図３】本案の実施例であり、袋状の防水シート側面に２箇所穴を開け、袋の口から肩掛けのバッグ挿入し、取って部分を２箇所の穴からそれぞれ取り出した場合の図である。
【符号の説明】１  袋状防水シート
２  バッグもち手用の穴
３  袋状防水シートの口
４  バッグもち手
【図１】
0003157205.tif 000003
【図２】
0003157205.tif 000004
【図３】
0003157205.tif 000005
(57)【要約】      （修正有）【課題】十分な運搬機能を備え、かつ、手提げにより容易に持ち運ぶことができる手押し台車を提供する。【解決手段】台板２の下面の前後部にキャスター４を取り付けるとともに、台板２の上面の後部に手押しハンドル３０を起倒可能に設け、台板２の後部に手提げ用開口５を設けて手押し台車を構成する。手押し台車はその後方位置の手押しハンドル３０を持った状態において、足でレバー８を操作すると手押しハンドル３０を前方に倒すことができる。そして、その後方位置から動くことなく手提げ用開口５に手をかけることで、手押し台車１を持ち上げ手提げ状態として運ぶことができる。また、手提げ用開口５は、手をかけやすくするため、湾曲形状に形成する。【選択図】図１
0003157206.tif 000002
【実用新案登録請求の範囲】
【請求項１】
台板の下面の前後部にキャスターが取り付けられるとともに、前記台板の上面の後部に手押しハンドルが起倒可能に設けられた手押し台車において、
前記台板の後部に手提げ用開口が設けられてなることを特徴とする手押し台車。
【請求項２】
前記台板の後縁に踏み込み部が後方に突設されるとともに、前記台板の踏み込み部の内側位置に前記手提げ用開口が設けられてなることを特徴とする請求項１記載の手押し台車。
【請求項３】
前記手提げ用開口が、中央部が前方側に位置する湾曲形態である請求項１または２記載の手押し台車。
【考案の詳細な説明】
【技術分野】
【０００１】  この考案は、折り畳み可能に手押しハンドルが設けられた手押し台車に関する。
【背景技術】
【０００２】  工場や倉庫において、また、宅配業務や引越し作業において、物品の搬送に手押し台車が汎用されている。この種の手押し台車として、非使用時に手押しハンドルが前方に倒れてコンパクトな形態となり、その持ち運びが容易に行え、かつ、かつ収納が広い場所を取るとることなく行えるタイプのものがある。持ち運びに際しては、全体を抱えるように持つのは難しいので、例えば、その台板の中央に円形の開口を設け、そこに手をかけることで持ち運びを容易にしている。
【考案の概要】
【考案が解決しようとする課題】
【０００３】  しかしながら、上記のように台板の中央に円形の開口を設ける構成では、その開口が結構大きいので、運搬物が小さい場合にはその開口から落下したり、また、積載状態が安定しないというように、手押し台車の運搬機能が損なわれる問題があった。また、持ち運ぶ際には手押しハンドルを後方位置から前方に倒すが、その位置から台板の側に回りこまなければ開口に手をかけて持ち運ぶことができなかった。【０００４】  この考案は上記の点に鑑みて行ったもので、手押し台車をその運搬機能を損なうことなく容易に持ち運ぶことができるようにするものである。
【課題を解決するための手段】
【０００５】  この考案では、台板の下面の前後部にキャスターが取り付けられるとともに、前記台板の上面の後部に手押しハンドルが起倒可能に設けられた手押し台車において、前記台板の後部に手提げ用開口が設けられてなる構成とする。【０００６】  上記構成によれば、台板の後部に手提げ用開口が設けられていることで、手提げ用開口から運搬物が小さい場合にも落下しにくく、また、積載状態が乱されることも少ない。また、後方から手押しハンドルを前側に倒した動作の後、その位置において手提げ用開口に手をかけて手押し台車を持つことができる。【０００７】  とくに、台板の後縁に踏み込み部が後方に突設されるとともに、台板の踏み込み部の内側位置に手提げ用開口が設けられる構成とされることで、踏み込み部のある分手提げ用開口を台板のより後部の位置に配置でき、これにより上記の運搬物の落下防止と積載の安定化の両効果がさらに高められる。また、踏み込み部の存在により台板の後部に十分なスペースが得られるので、手提げ用開口の形成が余裕を持って容易になされる。さらに、手提げ用開口が中央部が前方側に位置する湾曲形態とされることで、手提げ動作が容易になされる。
【考案の効果】
【０００８】  この考案によれば、十分な運搬機能を備え、かつ、手提げにより容易に持ち運ぶことができる実用性に優れる手押し台車が得られる。
【図面の簡単な説明】
【０００９】
【図１】  この考案の手押し台車の実施形態の外観斜視図
【図２】  この考案の手押し台車の実施形態の部分拡大斜視図
【図３】  この考案の手押し台車の実施形態の手提げ状態の斜視図
【考案を実施するための形態】
【００１０】  図１はこの考案の台車の外観斜視図、図２は同部分拡大斜視図である。台車１は平面形状が長方形（９０×６０ｃｍ）の木質板よりなる台板２の下面の四隅近傍にキャスター４が取り付けられるとともに、台板２の上面の後部に手押しハンドル３０が矢印方向において起倒可能に設けられている。
【００１１】  台板２の後縁中央には台板２上面に連続して４〜５ｃｍ幅の踏み込み部２０が後方に突出するように連続一体に設けられており、その踏み込み部２０中央の内側位置に手提げ用開口５が設けられている。手提げ用開口５は中央部が前方側に位置する湾曲形態となっており、その開口縁には金属製の飾り縁材７が取り付けられている。
【００１２】  上記手押し台車１は、手押しハンドル３０を持った状態で踏み込み部２０上を足で下方に押し下げることで、台板２の前部側が後部のキャスター４を支点として持ち上げられ、これにより溝や敷居を前側のキャスター４を浮かすことで支障なく越えることができる。
【００１３】  図３は手押し台車１の持ち運び時を示す説明図である、手押し台車はその後方位置において手押しハンドル３０を持った状態において足でレバー８を操作することで、手押しハンドル３０を前方に倒すことができる。そして、その後方位置から動くことなく手提げ用開口５に手をかけることで、図３に示すように、手押し台車１を持ち上げ手提げ状態として運ぶことができる。その際、手提げ用開口５は中央部が前方側（持ち上げ時には下方側）に位置する湾曲形態となっていることで、手おかけやすく、また、持ち上げやすい。
【符号の説明】
【００１４】１    手押し台車
２    台板
４    キャスター
５    手提げ用開口
２０  踏み込み部
３０  手押しハンドル
【図１】
0003157206.tif 000003
【図２】
0003157206.tif 000004
【図３】
0003157206.tif 000005
(57)【要約】      （修正有）【課題】装着した場合に脱げにくく、且つ良好な履き心地を保持しうる履物を提供する。【解決手段】履口の周縁部に沿って伸縮可能な紐部材が配設された構成とする。紐部材が伸縮性を有することによって、上記履物を装着した場合に、履口が足首部等に密着し、歩行中においても、脱げにくく、且つ足の動きに合わせ伸縮することから締め付け感が少なく、良好な履き心地を保持しうる。【選択図】図１
0003157264.tif 000002
【実用新案登録請求の範囲】
【請求項１】
履口の周縁部に沿って伸縮可能な紐部材が配設されていることを特徴とする履物。
【請求項２】
上記履口の端縁部には周方向に沿って筒状部が形成され、
上記紐部材は上記筒状部に貫装して配設されていることを特徴とする請求項１記載の履物。
【請求項３】
上記紐部材はゴム紐から形成されていることを特徴とする請求項１又は２に記載の履物。
【考案の詳細な説明】
【技術分野】
【０００１】
本考案は甲被が鞣革、若しくは布材等の柔軟な素材で形成された履物に関する。
【背景技術】
【０００２】
甲被が鞣革、若しくは布材のように、柔軟性を有する素材で形成されている履物は、軽量であり、且つ持ち運びも容易であるため、一般的な靴の他、室内用履物、携帯用の履物としても広く流通している。
上記のような履物は、軽量であるために足が疲れ難い等の利点を有しているが、履口の径寸法を大きくした場合には、歩行中に上記履口から足が抜け、脱げ易いという不具合を有していた。
【０００３】
上記不具合を解決するために、例えば、履口の周縁部を靴紐等によって縛る方法が考えられるが、通常の靴紐は伸縮性を有していないことから、靴紐が足を締め付けて履き心地が悪化すると共に、靴の着脱作業が非常に煩わしくなるという別途の不具合を生じていた。
【考案の開示】
【考案が解決しようとする課題】
【０００４】
本考案の解決する課題は、装着した場合に脱げにくく、且つ良好な履き心地を保持しうる履物を提供することにある
【課題を解決するための手段】
【０００５】
上記課題を解決するために、請求項１の考案に係る履物は、履口の周縁部に沿って伸縮可能な紐部材が配設されていることを特徴とする。
従って、上記履物を装着した場合には、上記紐部材の収縮力によって、履口が足に密着する。
【０００６】
また、請求項２の考案に係る履物は上記履口の端縁部には周方向に沿って筒状部が形成され、上記紐部材は上記筒状部に貫装して配設されていることを特徴とする。
従って、紐部材が収縮することによって、上記履口の筒状部が足に密着する。
【０００７】
また、請求項３の考案に係る履物は、上記紐部材はゴム紐から形成されていることを特徴とする。
【考案の効果】
【０００８】
請求項１乃至３の考案にあっては、履口の周縁部に沿って配設された伸縮可能な紐部材が伸縮性を有することによって、上記履物を装着した場合に、履口が足首部等に密着し、歩行中においても、脱げにくく、且つ足の動きに合わせ伸縮することから締め付け感が少なく、良好な履き心地を保持しうる履物を提供することができる。
【０００９】
特に請求項２の考案にあっては、上記履口の端縁部には周方向に沿って筒状部が形成され、上記紐部材は上記筒状部に貫装して配設されていることから、紐部材が直接視認されないため、履物のデザイン性に影響を与えず、外観品質が良好である。
【図面の簡単な説明】
【００１０】
【図１】本考案の一実施の形態を示し、（ａ）は実施例の形態における靴の斜視図、（ｂ）は（ａ）の筒状部を矢印Ａ−Ａ線で切断した状態を示す拡大斜視図である。
【考案を実施するための最良の形態】
【００１１】
本考案の実施するための形態について図面を用いて説明する。
図１に示すように、本実施例に係る靴１０は、履口１１の周縁部に沿って伸縮可能なゴム紐部材１２が配設されている。
上記紐部材１２は、上記履口１１の端縁部１３に周方向に沿って設けられた筒状部１４内に貫装されている。
【実施例１】
【００１２】
以下に、図面を用いて本実施例について詳細を説明する。
図１（ａ）は、本実施例の形態における靴１０の斜視図である。
図１に示すように、本実施例に係る靴１０は、底板１５に鞣革等の柔軟な革からなる甲被１６が装着され、踵部１７からつま先１８の近傍に至るまでの大きな履口１１を備えている。
また、上記筒状部１４は履口１１の端縁部を内方に折り返して、縫合線１９に沿って縫合することによって形成されている。
また、図１（ｂ）は（ａ）のＡ−Ａ矢印線に沿って、上記筒状部１４を切断した状態を示す拡大斜視図である。
図１（ｂ）に示すように、上記筒状部１４に貫装されているゴム紐部材１２は、薄い板状に形成されている。
上記ゴム紐部材１２の長さ寸法は、上記履口１１の周方向寸法よりもやや短く形成され、上記履口１１の径寸法を縮小させる方向に付勢するように配設されている。
【００１３】
本実施例の作用および効果について図面を用いて説明する。
図１（ａ）に示すように、本実施例に係る靴は、履口１１からつま先に向かって足先を挿入し、踵部１７で踵を被覆することによって装着する。
この際、上記ゴム紐部材１２によって、上記履口１１は、径寸法を縮小させる方向に付勢されていることから、上記筒状部１４が足首の後部、側部及び、足甲部に密着し、歩行時においても履口１１から足が抜けてしまうことがない。
また、ゴム紐部材１２が伸縮性を有するため、過度に足首等を締め付けることがないため、履き心地も良好である。
【００１４】
なお、履口の大きさ及び靴の種別については本実施例の作用及び効果に何らの影響を与えることはない。
また、ゴム紐部材の太さ、伸縮力の大小については、靴の大きさ及び使用者の足の大きさ等に合わせて適宜変更することが可能である。
また、本実施例においてはゴム紐部材を用いているが、柔軟な伸縮性を有する部材であれば、ゴム紐に限定される必要は無い。
更に甲被の素材についても、鞣革に限定されることは無く、布材、合成皮革など、柔軟性を有する素材を適用することも可能である。
【産業上の利用可能性】
【００１５】
本考案は甲被が鞣革、若しくは布材等の柔軟な素材で形成された履物に広く適用することが可能である。
【符号の説明】
【００１６】
１０  靴
１１  履口
１２  ゴム紐部材
１３  履口端縁部
１４  筒状部
１５  底板
１６  甲被
１７  踵部
１８  つま先
１９  縫合線
【図１】
0003157264.tif 000003